(57)【特許請求の範囲】
【請求項１】
ガス供給用のガス管（３）内にたまったガス管内水（４）を、そのガス管（３）の地上開口部（２）からガス管（３）外へ排出するガス管内水排出方法であって、
前記ガス管（３）内のガスを吸引自在な吸引装置（１）を、前記ガス管（３）内を経由してガス管内水（４）の貯留部（３ｄ）に最も近い地上開口部（２）に流量絞り部（５）を介して接続するとともに、前記ガス管内水（４）よりもガス供給方向下流側のガス管（３ｃ）内におけるガスの流速が設定範囲内になるように、前記流量絞り部（５）によって流量を絞った状態で、前記吸引装置（１）により、前記ガス管（３）内を吸引させて前記ガス管内水（４）を引き抜くガス管内水排出方法。
【発明の詳細な説明】
【０００１】
【発明の属する技術分野】
本発明は、ガス供給用のガス管内にたまったガス管内水を、そのガス管の地上開口部からガス管外へ排出するガス管内水排出方法に関する。
【０００２】
【従来の技術】
従来、この種の技術としては、前記ガス管内のガスを吸引自在な吸引装置を、前記ガス管内を経由してガス管内水の貯留部に最も近い地上開口部に直接接続するとともに、前記吸引装置により、前記ガス管内を吸引させて前記ガス管内水を引き抜くことが行われている。
【０００３】
【発明が解決しようとする課題】
上述した従来のガス管内水排出方法によれば、前記吸引装置としては、大量のガス管内水であっても十分に引き抜けるように容量の大きなものを利用することが多いのであるが、そのような吸引装置で前記ガス管内水の貯留部のあるガス管（枝管）内のガスを吸引すると、その枝管の接続されている元のガス管（本支管）内の圧力までも急激に減少させてしまい、その本支管に接続されている他の枝管内の圧力にまで影響を及ぼし、ガス供給を不安定にしてしまうのではないかという虞れが指摘されており、ガス供給の不安定化を来しにくいガス管内水排出方法が望まれている。
【０００４】
従って、本発明の目的は、上記欠点に鑑み成されたものであり、大量のガス管内水であっても引き抜き可能であって、かつ、ガス管内のガス圧に影響を及ぼしにくいガス管内水排出方法を提供することにある。
【０００５】
【課題を解決するための手段】
この目的を達成するための本発明の特徴手段は、ガス供給用のガス管内にたまったガス管内水を、そのガス管の地上開口部からガス管外へ排出する場合に、前記ガス管内のガスを吸引自在な吸引装置を、前記ガス管内を経由してガス管内水の貯留部に最も近い地上開口部に流量絞り部を介して接続するとともに、前記ガス管内水よりもガス供給方向下流側のガス管内におけるガスの流速が設定範囲内になるように、前記流量絞り部によって流量を絞った状態で、前記吸引装置により、前記ガス管内を吸引させて前記ガス管内水を引き抜くことにあり、その作用・効果は以下の通りである。
【０００６】
〔作用効果〕
つまり、吸引装置で前記地上開口部からガスを吸引すると、そのガスとともにガス管内水を前記地上開口部側へ移動させることが出来る。このとき、ガス管内水が前記ガス管内の流路を閉塞している場合には、あまり本支管側に影響を与えることなく前記ガス管内水を地上開口部に引き出せるのであるが、このガス管内水が、ガス管内水の引き抜き作業により少なくなったとき等、ガス管内水が前記ガス管内の流路を閉塞していない状態になると、前記吸引装置からのガス吸引による圧力変動が前記本支管に伝達される。しかし、本発明者らは、前記吸引装置を前記地上開口部に流量絞り部を介して接続して、ガス管内水よりもガス供給方向下流側のガス管内におけるガスの流速が設定範囲内になるように、流量絞り部によって流量を絞った状態で吸引すれば、前記枝管内の圧力が急激には変化しないようにかつ確実にガス管内水を引き抜けるという新知見を得た。
この新知見によれば、前記枝管内のガス管内水を確実かつ穏やかに引き抜くことが出来、前記本支管の圧力にはあまり影響を与えることなくガス管内水を引き抜くことができる。
従って、その本支管に接続されている他の枝管内の圧力にまで影響を及ぼし、ガス供給を不安定にしてしまうような不都合が発生する虞れを十分に低くできるようになり、ガスの安定供給に寄与することが出来た。
【０００７】
【発明の実施の形態】
以下に本発明の実施の形態を図面に基づいて説明する。
図１に示すように、吸引装置１を接続する地上開口部２は、ガス管３の本管３ａから延設される支管３ｂに接続され、前記本管３ａからのガスを各家庭に供給する枝管３ｃにおいて、ガスメーターＧＭの取付部２ａに形成される。ここで、前記枝管３ｃには、配管時の種々の事情で、上下方向にＵ字状に配設される迂回部３ｄが形成されており、この迂回部３ｄに何らかの影響でガス管内水４が貯留されている貯留部が形成されているものとする。
ここで、図２に示すように、前記地上開口部２に流量絞り部５を介して、前記ガス管３内のガスを吸引自在なポンプ１ａをホース１ｂで接続するとともに、前記ポンプ１ａにより、前記ガス管２内を吸引させて前記ガス管内水４を引き抜く。
【０００８】
〔別実施形態〕
先の実施の形態では、流量絞り部５は、ガスメーターＧＭの取付部２ａに設けたが、地上開口部２と、吸引装置１との間に介在させて設けてあれば良いので、前記吸引装置１のポンプ１ａとホース１ｂとの間にガス管内水トラップを設け、そのガス管内水トラップの吸引側縦管部に設けてあってもよく、この場合ポンプ１ａにガス管内水４が流入するのを前記流量絞り部５が阻止するので、前記ガス管内水４が前記ポンプ１ａに悪影響を与えるのを防止できる。
【０００９】
【実施例】
以下に本発明の実施例を図面に基づいて説明する。
先の実施の形態において、例えば、管径が２５ｍｍの枝管１ｃに対して吸引装置１として流量６９ｍ3／Ｈのポンプ１ａを用い、かつ、流量絞り部５に、流速を１３ｍ／ｓ〜２０ｍ／ｓに絞ることのできるものを用いたところ、支管３ｂへは圧力変化の影響をあまり与えることなくガス管内水４を引き抜くことが出来た。
【００１０】
〔試験例〕
図１における支管３ｂ内の圧力を２１０ｍｍＨ2Ｏに設定し、先の実施例の条件で、絞り流量を種々に変更してガス管内水４の引き抜き試験を行った。その結果を表１に示す。尚、表中、流量、流速とあるものは、図中Ａ点での測定値であり、支管圧、枝管圧とあるものは、図１中Ｂ，Ｃ点における圧力である。また、圧力低下とあるのは、支管への圧力低下の影響を示し、○は影響が少なく他の枝管への影響が少ないと考えられるもの、×は他の枝管への影響が生じると考えられるものを示す。抽水状況とあるのは、前記迂回部にガス管内水が残存するか否かを示し、○はガス管内水の残存は見られず、×はガス管内水の残存が見られたことを示す。
【００１１】
【表１】
0003648321.tif 000002
【００１２】
その結果、流速を１３ｍ／ｓ〜２０ｍ／ｓに設定するように流量絞り部５を設けておけば、支管３ｂの内圧の低下を、他の枝管３ｄにあまり影響を受けない１００ｍｍＨ2Ｏ程度までに抑え、かつ、残存しないようにガス管内水４を引き抜くことが出来ることが分かった。
【００１３】
尚、本発明にいうガス管内水４の貯留部とは、ガス管３内のいかなる場所であっても、水が溜まり得る場所であれば、前記迂回部３ｄに限ることはない。
また、ガス管３は、本管３ａ、支管３ｂ、枝管３ｃの総称である。
【００１４】
尚、特許請求の範囲の項に、図面との対照を便利にするために符号を記すが、該記入により本発明は添付図面の構成に限定されるものではない。
【図面の簡単な説明】
【図１】ガス管の配管状況及びガス管内水の残存状況をを示す図
【図２】本発明のガス管内水排出方法を示す図
【符号の説明】
１    吸引装置
２    地上開口部
３    ガス管
３ｃ  ガス管
３ｄ  貯留部
４    ガス管内水
５    流量絞り部
【図１】
0003648321.tif 000003
【図２】
0003648321.tif 000004